(57)【特許請求の範囲】
【請求項１】
同期非同期検出アルゴリズム（１０２）を制御するための制御パラメータを得るステップを含む、電気通信システムの無線アクセスネットワークに用いる方法であって、
前記制御パラメータが、ソフター合成された複数の無線リンクのセット（無線リンクセット）用に、対応するセル単位のパラメータから得られ、
前記制御パラメータは、ソフター合成された無線リンクの各セットに対して独自に設定されることを特徴とする方法。
【請求項２】
合成された複数の無線リンクのセット（無線リンクセット）用の前記同期非同期検出アルゴリズムを制御するための前記制御パラメータが、基地局（２８）内の合成された複数の無線リンクのセット（無線リンクセット）の個々の無線リンクのセルの、対応するセル単位のパラメータから得られることを特徴とする請求項１記載の方法。
【請求項３】
前記制御パラメータが前記対応するセル単位のパラメータの最大値を取得することによって得られることを特徴とする請求項２記載の方法。
【請求項４】
前記制御パラメータが前記対応するセル単位のパラメータの最小値を取得することによって得られることを特徴とする請求項２記載の方法。
【請求項５】
前記制御パラメータが前記対応するセル単位のパラメータの加重又は非加重平均値を取得することによって得られることを特徴とする請求項２記載の方法。
【請求項６】
前記制御パラメータが、請求項３乃至請求項５のいずれかに記載の方法に従って個々に得られることを特徴とする請求項２記載の方法。
【請求項７】
合成された複数の無線リンクのセット（無線リンクセット）用の前記同期非同期検出アルゴリズムを制御するための前記制御パラメータが、前記基地局内の全てのセルの、前記対応するセル単位のパラメータから得られることを特徴とする請求項２記載の方法。
【請求項８】
前記制御パラメータが前記対応するセル単位のパラメータの最大値を取得することによって得られることを特徴とする請求項７記載の方法。
【請求項９】
前記制御パラメータが前記対応するセル単位のパラメータの最小値を取得することによって得られることを特徴とする請求項７記載の方法。
【請求項１０】
前記制御パラメータが前記対応するセル単位のパラメータの加重又は非加重平均値を取得することによって得られることを特徴とする請求項７記載の方法。
【請求項１１】
前記制御パラメータが、請求項８乃至請求項１０のいずれかに記載の方法に従って得られることを特徴とする請求項７記載の方法。
【請求項１２】
合成された複数の無線リンクのセット（無線リンクセット）用の前記同期非同期検出アルゴリズムを制御するための前記制御パラメータが、基地局内の任意の可能性のある無線リンクセットの、前記対応するセル単位のパラメータから得られることを特徴とする請求項１記載の方法。
【請求項１３】
前記制御パラメータが前記対応するセル単位のパラメータの最大値を取得することによって得られることを特徴とする請求項１２記載の方法。
【請求項１４】
前記制御パラメータが前記対応するセル単位のパラメータの最小値を取得することによって得られることを特徴とする請求項１２記載の方法。
【請求項１５】
前記制御パラメータが前記対応するセル単位のパラメータの加重又は非加重平均値を取得することによって得られることを特徴とする請求項１２記載の方法。
【請求項１６】
前記制御パラメータが、請求項１３乃至請求項１５のいずれかに記載の方法に従って個々に得られることを特徴とする請求項１２記載の方法。
【請求項１７】
合成された複数の無線リンクのセット（無線リンクセット）用の前記同期非同期検出アルゴリズムを制御するための前記制御パラメータが、請求項２、請求項７及び請求項１２のいずれかに記載の方法の組み合わせを用い、前記対応するセル単位のパラメータから得られるパラメータによって、個々に制御されることを特徴とする請求項１記載の方法。
【請求項１８】
前記制御パラメータが前記対応するセル単位のパラメータの最大値を取得することによって得られることを特徴とする請求項１７記載の方法。
【請求項１９】
前記制御パラメータが前記対応するセル単位のパラメータの最小値を取得することによって得られることを特徴とする請求項１７記載の方法。
【請求項２０】
前記制御パラメータが前記対応するセル単位のパラメータの加重又は非加重平均値を取得することによって得られることを特徴とする請求項１７記載の方法。
【請求項２１】
前記制御パラメータが、請求項１８乃至請求項２０のいずれかに記載の方法に従って個々に得られることを特徴とする請求項１７記載の方法。
【請求項２２】
移動ユーザ装置ユニットとの接続の受信品質を判定する同期非同期検出器（１０２）を含む電気通信システムの無線アクセスネットワーク内の装置であって、
前記同期非同期検出器に用いられる制御パラメータを決定する制御パラメータ決定機能（１０６）を有し、
前記制御パラメータ決定機能が、ソフター合成された複数の無線リンクのセット（無線リンクセット）用の前記制御パラメータを、対応するセル単位のパラメータから決定し、
前記制御パラメータは、ソフター合成された無線リンクの各セットに対して独自に設定されることを特徴とする装置。
【請求項２３】
前記制御パラメータ決定機能が、合成された複数の無線リンクのセット（無線リンクセット）用の前記同期非同期検出器を制御するための前記制御パラメータを、基地局（２８）内の合成された複数の無線リンク（無線リンクセット）の個々の無線リンクのセルの、対応するセル単位のパラメータから得ることを特徴とする請求項２２記載の装置。
【請求項２４】
前記制御パラメータが前記対応するセル単位のパラメータの最大値を取得することによって得られることを特徴とする請求項２３記載の装置。
【請求項２５】
前記制御パラメータが前記対応するセル単位のパラメータの最小値を取得することによって得られることを特徴とする請求項２３記載の装置。
【請求項２６】
前記制御パラメータが前記対応するセル単位のパラメータの加重又は非加重平均値を取得することによって得られることを特徴とする請求項２３記載の装置。
【請求項２７】
前記制御パラメータが、請求項２４乃至請求項２６のいずれかに記載の方法に従って個々に得られることを特徴とする請求項２３記載の装置。
【請求項２８】
前記制御パラメータ決定機能が、合成された複数の無線リンクのセット（無線リンクセット）用の前記同期非同期アルゴリズムを制御するための前記制御パラメータを、前記基地局内の全てのセルの、前記対応するセル単位のパラメータから得ることを特徴とする請求項２２記載の装置。
【請求項２９】
前記制御パラメータが前記対応するセル単位のパラメータの最大値を取得することによって得られることを特徴とする請求項２８記載の装置。
【請求項３０】
前記制御パラメータが前記対応するセル単位のパラメータの最小値を取得することによって得られることを特徴とする請求項２８記載の装置。
【請求項３１】
前記制御パラメータが前記対応するセル単位のパラメータの加重又は非加重平均値を取得することによって得られることを特徴とする請求項２８記載の装置。
【請求項３２】
前記制御パラメータが、請求項２９乃至請求項３１のいずれかに記載の方法に従って個々に得られることを特徴とする請求項２８記載の装置。
【請求項３３】
前記制御パラメータ決定機能が、合成された複数の無線リンクのセット（無線リンクセット）用の前記同期非同期アルゴリズムを制御するための前記制御パラメータを、基地局内の任意の可能性のある無線リンクセットの、前記対応するセル単位のパラメータから得ることを特徴とする請求項２２記載の装置。
【請求項３４】
前記制御パラメータが前記対応するセル単位のパラメータの最大値を取得することによって得られることを特徴とする請求項３３記載の装置。
【請求項３５】
前記制御パラメータが前記対応するセル単位のパラメータの最小値を取得することによって得られることを特徴とする請求項３３記載の装置。
【請求項３６】
前記制御パラメータが前記対応するセル単位のパラメータの加重又は非加重平均値を取得することによって得られることを特徴とする請求項３３記載の装置。
【請求項３７】
前記制御パラメータが、請求項３４乃至請求項３６のいずれかに記載の方法に従って個々に得られることを特徴とする請求項３３記載の装置。
【請求項３８】
前記制御パラメータ決定機能が、合成された複数の無線リンクのセット（無線リンクセット）用の前記同期非同期アルゴリズムを制御するための前記制御パラメータを、請求項２３、請求項２８及び請求項３３のいずれかに記載の方法の組み合わせを用い、前記対応するセル単位のパラメータから得ることを特徴とする請求項２２記載の装置。
【請求項３９】
前記制御パラメータが前記対応するセル単位のパラメータの最大値を取得することによって得られることを特徴とする請求項３８記載の装置。
【請求項４０】
前記制御パラメータが前記対応するセル単位のパラメータの最小値を取得することによって得られることを特徴とする請求項３８記載の装置。
【請求項４１】
前記制御パラメータが前記対応するセル単位のパラメータの加重又は非加重平均値を取得することによって得られることを特徴とする請求項３８記載の装置。
【請求項４２】
前記制御パラメータが、請求項３９乃至請求項４１のいずれかに記載の方法に従って個々に得られることを特徴とする請求項３８記載の装置。
【請求項４３】
前記同期非同期検出器が前記無線アクセスネットワークの基地局に設けられていることを特徴とする請求項２２記載の装置。
【請求項４４】
前記制御パラメータ決定機能が前記無線アクセスネットワークの無線ネットワークコントローラ（ＲＮＣ）ノード（２６）に設けられていることを特徴とする請求項２２記載の装置。
【請求項４５】
前記制御パラメータ決定機能が、前記無線アクセスネットワークの基地局（２８）に設けられていることを特徴とする請求項２２記載の装置。
【発明の詳細な説明】
【０００１】
（発明が属する技術分野）
本発明はセルラ無線通信ネットワークに関し、特に、ユーザ装置ユニット（ＵＥ）との接続状態が同期非同期検出手法によって検出されるセルラ通信ネットワークに関する。
【０００２】
（関連技術及び他の検討）
一般的なセルラ無線システムにおいて、移動ユーザ装置（ＵＥ）は無線アクセスネットワーク（ＲＡＮ）を介して１つ又は２つ以上のコアネットワークと通信する。ユーザ装置ユニット（ＵＥ）は移動電話機（”セルラ”電話機）及び移動機(mobile termination)を有するラップトップであってよく、従って、例えば、音声及び／又はデータを無線アクセスネットワークと通信するポータブル、ポケット、ハンドヘルドコンピュータ内蔵の、又は自動車に搭載された移動デバイスであってもよい。
【０００３】
無線アクセスネットワーク（ＲＡＮ）は、それぞれが基地局によってサービス提供を受ける、セル領域に分割された地理的領域をカバーする。セルは、基地局サイトの無線基地局装置によって無線カバレッジが提供される地理的領域である。各セルは独自のＩＤによって識別され、このＩＤはセル内で同報される。基地局はエアインタフェース（例えば、無線周波数）を介して、その基地局の範囲内のユーザ装置ユニット（ＵＥ）と通信する。無線アクセスネットワーク（ＲＡＮ）において、いくつかの基地局が通常（例えば地上回線又はマイクロ波によって）無線ネットワークコントローラ（ＲＮＣ）に接続される。基地局コントローラ（ＢＳＣ）とも呼ばれる無線ネットワークコントローラは、接続される複数の基地局の様々なアクティビティを管理及び調整する。無線ネットワークコントローラは一般に１つ又はそれより多いコアネットワークに接続される。
【０００４】
無線アクセスネットワークの一例は、ＵＭＴＳ(Universal Mobile Telecommunications)陸上無線アクセスネットワーク（ＵＴＲＡＮ）である。ＵＴＲＡＮは欧州で開発された、ＧＳＭ(Global System for Mobile communications)として知られる無線アクセス技術に立脚した第３世代システムである。ＵＴＲＡＮは本質的に広帯域符号分割多元アクセス（Ｗ−ＣＤＭＡ）システムである。
【０００５】
当業者が理解するように、Ｗ−ＣＤＭＡ技術においては、共通の周波数帯がユーザ装置ユニット（ＵＥ）と複数の基地局との同時通信を可能にする。共通周波数帯を占有する信号は受信局において、高速な、疑似雑音（ＰＮ）符号の利用に基づくスペクトル拡散ＣＤＭＡ波形特性を通じて弁別される。これらの高速ＰＮ符号は基地局及びユーザ装置ユニット（ＵＥ）から送信される信号の変調に用いられる。異なるＰＮ符号（又は時間的にずれたＰＮ符号）を用いる送信機局は、受信局において個別に復調可能な信号を生成する。高速ＰＮ変調はさらに、送信された信号のいくつかの識別可能な伝播経路を合成することにより、受信局が１つの送信局から受信した信号を有利に生成することを可能にする。従って、ＣＤＭＡにおいて、ユーザ装置ユニット（ＵＥ）は、あるセルから別のセルへ接続のハンドオフがなされる際も周波数を切り替える必要がない。その結果、宛先セルは開始セルがその接続に対するサービスを継続している最中に同じ接続をサポートすることができる。ユーザ装置ユニット（ＵＥ）はハンドオーバの間、常に少なくとも１つのセルを通じて通信を行っているため、呼の中断は生じない。従って、”ソフトハンドオーバ”と呼ぶ。ハードハンドオーバと対照的に、ソフトハンドオーバは”メイクビフォアブレーク(make-before-break)”切替動作である。
【０００６】
ＵＭＴＳ陸上無線アクセスネットワーク（ＵＴＲＡＮ）は、回線交換接続及びパケット交換接続の両方に対応する。この点に関し、ＵＴＲＡＮにおいては回線交換接続が、移動通信交換局（ＭＳＣ）と通信する無線ネットワークコントローラ（ＲＮＣ）を含み、ＭＳＣは例えば公衆交換電話網（ＰＳＴＮ）及び／又は統合サービスディジタル網（ＩＳＤＮ）であるかもしれない、コネクション型の外部コアネットワークと通信する。一方、ＵＴＲＡＮにおいて、パケット交換接続はサービスＧＰＲＳサポートノード（ＳＧＳＮ）と通信する無線ネットワークコントローラを含み、ＳＧＳＮはバックボーンネットワーク及びゲートウェイＧＰＲＳサポートノード（ＧＧＳＮ）を通じてパケット交換網（例えば、インターネット、Ｘ．２５外部ネットワーク）へ接続される。
【０００７】
ＵＴＲＡＮにはいくつかの関心のあるインタフェースがある。無線ネットワークコントローラ（ＲＮＣ）とコアネットワークの間のインタフェースは”Ｉｕ”インタフェースと呼ばれる。無線ネットワークコントローラ（ＲＮＣ）及びその基地局（ＢＳ）との間のインタフェースは”Ｉｕｂ”インタフェースと呼ばれる。ユーザ装置ユニット（ＵＥ）と基地局の間のインタフェースは”エアインタフェース”又は”無線インタフェース”として知られている。ある場合に、接続は在圏又はソースＲＮＣ（ＳＲＮＣ）及び、目標又はドリフトＲＮＣ（ＤＲＮＣ）の両方を含み、ＳＲＮＣはこの接続を制御するが、接続の１つ又はそれより多いダイバーシチレグはＤＲＮＣによって処理される（この点に関しては、いずれも本明細書に参照と組み込まれる、１９９８年３月６日に出願された米国特許出願第０９／０３５，８２１号、”通信中継測定転送(Telecommunications Inter-Exchange Measurement Transfer)”及び、１９９８年３月６日に出願された米国特許出願第０９／３５，７８８号、”通信中継輻輳制御(Telecommunications Inter-Exchange Congestion Control)”を参照されたい）。ＳＲＮＣとＤＲＮＣの間のインタフェースは”Ｉｕｒ”インタフェースと呼ばれる。
【０００８】
現在のＵＭＴＳ仕様（３ＧＰＰ  ＴＳ２５．２１４バージョン３．４．０を参照）においては、移動局、すなわちユーザ装置ユニット（ＵＥ）との接続が、通信に十分な受信品質を有しているか否かを検出するために規定されたアルゴリズム又は手法が存在する。この手法は同期非同期(in-and-out-of synchronization)と呼ばれる。同期非同期の検出は、ダウンリンク（ＤＬ）、すなわちネットワークからＵＴへの方向における、電力制御コマンドの共通生成を有する無線リンクとして規定されるソフター合成無線リンク(softer combined radio link)の検出に基づく。アルゴリズムは多くのパラメータによって制御される。
【０００９】
３ＧＰＰ  ＴＳ２５．２１４に定められているＵＬ同期非同期検出アルゴリズムは、ソフター合成無線リンク（無線リンクセット）上で動作する。これは、基地局におけるアクティブな無線リンクセットに対する制御パラメータの１セットが無くてはならないことを意味する。現時点で合意に達しているアプローチはパラメータをセル単位で設定するものである。しかし、特定の無線リンクセットに対して固有の制御パラメータを設定するための方法は現在存在しない。
【００１０】
（発明の概要）
本発明によれば、無線リンクセット（合成無線リンクのセット）に対する同期非同期検出アルゴリズム／手法のための制御パラメータを、対応するセル単位のパラメータから得る。無線リンクセット（合成無線リンクのセット）に対する同期非同期検出アルゴリズムのためのパラメータを対応するセル単位のパラメータからどのようにして得ることができるかについての方法には様々なものが存在する。例えば、動的に、すなわち無線リンクが無線リンクセットへ追加された際、あるいは除去された際に行っても、準静的に(semi-statically)、すなわち基地局内の任意のセルに対する制御パラメータが変更された際に行っても、動的及び準静的方法を組み合わせて行ってもよい。
【００１１】
本発明の上述の目的及び他の目的、特徴及び利点は、以下の、参照数字が様々な図面を通じて同一の部分を参照する添付図面に示される好ましい実施形態についてのより詳細な説明から明らかになるであろう。図面は必ずしも縮尺されておらず、本発明の原理を説明するために強調がなされている。
【００１２】
（発明の詳細な説明）
以下の記述において、限定ではなく説明を目的として、特定のアーキテクチャ、インタフェース、方法等といった特定の詳細が本発明の完全な理解を提供するために説明される。しかし、本発明がこれら特定の詳細を離れた他の実施形態においても実施可能であることは当業者にとって明らかであろう。他の事例において、周知の装置、回路及び方法の詳細な説明は、不必要な詳細によって本発明の記述が曖昧にならないよう、省略されている。
【００１３】
本発明は、図１に示される、非限定的な、例示としてのＵＭＴＳ(universal mobile telecommunications)１０において説明される。雲形１２として示される代表的コネクション型の外部コアネットワークは例えば公衆交換電話網（ＰＳＴＮ）及び／又は統合サービスディジタル網（ＩＳＤＮ）であってよい。雲形１４として示される代表的コネクションレス型の外部コアネットワークは例えばインターネットであってよい。両コアネットワークは対応するサービスノード１６に接続される。ＰＳＴＮ／ＩＳＤＮコネクション型ネットワーク１２は、回線交換サービスを提供する移動通信交換局（ＭＳＣ）ノード１８として示されるコネクション型サービスノード１８に接続される。インターネットコネクションレス型ネットワーク１４は、在圏ＧＰＲＳサービスノード（ＳＧＳＮ）とも呼ばれる、パケット交換型サービスを提供するようにあつらえられた汎用パケット無線サービス（ＧＰＲＳ）ノード２０に接続される。
【００１４】
コアネットワークサービスノード１８及び２０の各々は、Ｉｕインタフェースと呼ばれる無線アクセス網（ＲＡＮ）インタフェースを介してＵＭＴＳ地上無線アクセス網（ＵＴＲＡＮ）２４に接続される。ＵＴＲＡＮ２４は１つ又はそれより多い無線ネットワークコントローラ（ＲＮＣ）２６を含む。単純化のために、図１のＵＴＲＡＮ２４は２つのＲＮＣノード、具体的にはＲＮＣ２６1及びＲＮＣ２６2のみとともに示されている。各ＲＮＣ２６は複数の基地局（ＢＳ）２８に接続される。例えば、これもまた単純化のために、２つの基地局ノードが各ＲＮＣ２６に接続されて示されている。この点に関し、ＲＮＣ２６1は基地局２８1-1及び基地局２８1-2にサービスを提供し、一方ＲＮＣ２６2は基地局２８2-1及び基地局２８2-2にサービスを提供する。ここで、異なる数の基地局が各ＲＮＣによってサービス提供されうること、ＲＮＣが同一数の基地局にサービスを提供する必要がないことは理解されるであろう。さらに、図１はＲＮＣがＩｕｒインタフェースを介して、ＵＲＡＮ２４内の１つ又はそれより多いＲＮＣに接続されうることを示している。
【００１５】
図１に示すユーザ装置ユニット（ＵＥ）３０のようなユーザ装置ユニット（ＵＥ）は、無線又はエアインタフェース３２を介して１つ又はそれより多い基地局（ＢＳ）２８と通信する。無線インタフェース３２、Ｉｕインタフェース、Ｉｕｂインタフェース及びＩｕｒインタフェースの各々は、図１において一点鎖線(dash-dotted line)で示されている。
【００１６】
好ましくは、無線アクセスは、個々の無線チャネルがＣＤＭＡ拡散符号を用いて割り振られる広帯域符号分割多元アクセス（ＷＣＤＭＡ）に基づく。もちろん、他のアクセス方法を用いることもできる。ＷＣＤＭＡはマルチメディアサービス及び他の高伝送速度要求のためのみならず、ダイバーシチハンドオフ及びＲＡＫＥ受信器といった、高品質を保証するためのロバストな特性のためにも広帯域を提供する。各ユーザ移動局又は装置ユニット（ＵＥ）３０は、基地局２８がその特定のユーザ装置ユニット（ＵＥ）からの伝送を特定するためのみならず、ユーザ装置ユニット（ＵＥ）が基地局２８からそのユーザ装置ユニット（ＵＥ）へ宛てられた伝送を、同一領域中に存在する他の全ての伝送及びノイズから特定するために、自らのスクランブル符号が割り当てされている。
【００１７】
異なるタイプの制御チャネルが、基地局２８の１つと複数のユーザ装置ユニット（ＵＥ）３０との間に存在しうる。例えば、下り(forward)又はダウンリンク方向において、様々な他のタイプの制御メッセージをユーザ装置ユニット（ＵＥ）へ与えるための汎用報知チャネル（ＢＣＨ）、一斉呼出しチャネル（ＰＣＨ）、共通パイロットチャネル（ＣＰＩＣＨ）及び下りアクセスチャネル（ＦＡＣＨ）を含む、数タイプの同報チャネルが存在する。上り(reverse)又はアップリンク方向において、位置登録、発呼、呼び出し応答及び他のタイプのアクセス操作を行うためにアクセスが必要な際には常にランダムアクセスチャネル（ＲＡＣＨ）がユーザ装置ユニット（ＵＥ）に用いられる。ランダムアクセスチャネル（ＲＡＣＨ）はまた、所定のユーザデータ、例えばウェブブラウザアプリケーションのための例えばベストエフォートパケットデータの搬送にも用いられる。トラフィックチャネル（ＴＣＨ）はユーザ装置ユニット（ＵＥ）との実体的な音声通信を搬送するために割り当てされるであろう。
【００１８】
当業者は、所定のＲＡＮ−ＵＥ接続に関し、ＲＮＣが在圏ＲＮＣ（ＳＲＮＣ）又はドリフトＲＮＣ（ＤＲＮＣ）のいずれかの役目を果たすことができることを理解する。あるＲＮＣが在圏ＲＮＣ（ＳＲＮＣ）であれば、そのＲＮＣはユーザ装置ユニット（ＵＥ）との接続を受け持ち、例えば、無線アクセスネットワーク（ＲＡＮ）内の接続の全制御権を有する。在圏ＲＮＣ（ＳＲＮＣ）はコアネットワークへ接続される。一方、あるＲＮＣがドリフトＲＮＣ（ＤＲＮＣ）であれば、ユーザ装置ユニット（ＵＥ）との接続に必要な（そのドリフトＲＮＣ（ＤＲＮＣ）によって制御されるセル内の）無線リソースを供給することにより、在圏ＲＮＣ（ＳＲＮＣ）をサポートする。
【００１９】
無線アクセスネットワーク（ＲＡＮ）とユーザ装置ユニット（ＵＥ）との間の接続が確立されると、無線アクセスネットワーク（ＲＡＮ）はどのＲＮＣが在圏ＲＮＣ（ＳＲＮＣ）となるべきか及び、必要であれば、どのＲＮＣがドリフトＲＮＣ（ＤＲＮＣ）となるべきかを決定する。通常、その接続が最初に確立された際にユーザ装置ユニット（ＵＥ）が位置しているセルを管理するＲＮＣが在圏ＲＮＣ（ＳＲＮＣ）として最初に選択される。ユーザ装置ユニット（ＵＥ）が移動するにつれ、無線通信ブランチ又はレグを、他のＲＮＣが制御するセルであるかもしれない新しいセルを介して確立することによって、その接続は維持される。これら他のＲＮＣはＲＡＮ−ＵＥ接続のためのドリフトＲＮＣ（ＤＲＮＣ）になる。
【００２０】
これらのことを説明するため、また本発明の説明の前置きとして、図２に示される状況を参照する。図２はユーザ装置ユニット（ＵＥ）３０に係る接続の初期セットアップにおける、ユーザ装置ユニット（ＵＥ）３０のためのＲＮＣ役割の割り当て例を示す。図２において、ユーザ装置ユニット（ＵＥ）３０は基地局（ＢＳ）２８1-1によって制御されるセル内に存在するため、無線ネットワークコントローラ（ＲＮＣ）２６1はユーザ装置ユニット（ＵＥ）３０との接続のための在圏ＲＮＣ（ＳＲＮＣ）として振る舞う。図２において、ユーザ装置ユニット（ＵＥ）３０との接続は（コアネットワーク１６から、無線ネットワークコントローラ（ＲＮＣ）２６1及び基地局２８1-1を通り、ユーザ装置ユニット（ＵＥ）３０へ伸びる）破線(broken line)３６1Aによって示される。
【００２１】
ユーザ装置ユニット（ＵＥ）３０が図２において矢印３４で示される右方向に移動したものとすると、最終的には基地局（ＢＳ）２８1-1によって制御されるセルを離れ、基地局２８1-2、２８2-1及び２８2-2によって制御されるセルを通って連続的に移動する。ユーザ装置ユニット（ＵＥ）３０が新しいセルに入る都度、ハンドオーバが発生する。ユーザ装置ユニット（ＵＥ）３０が基地局２８2-2の制御するセルに到達した時点を図３に示す。図３に示されるような時刻において、無線ネットワークコントローラ（ＲＮＣ）２６2はユーザ装置ユニット（ＵＥ）３０に対してドリフトＲＮＣ（ＤＲＮＣ）として振る舞うが、無線ネットワークコントローラ（ＲＮＣ）２６1は依然として在圏ＲＮＣ（ＳＲＮＣ）として振る舞う。換言すれば、無線ネットワークコントローラ（ＲＮＣ）２６2はユーザ装置ユニット（ＵＥ）３０が現時点で存在するセルに関する接続のためのリソースを提供するが、無線ネットワークコントローラ（ＲＮＣ）２６1は依然としてユーザ装置ユニット（ＵＥ）３０との接続の制御権を有する。ユーザ装置ユニット（ＵＥ）３０との接続は図３において破線３６1Bによって示される。
【００２２】
本発明によれば、実行可能な２形式の合成が存在する。第１形式の合成はソフト合成(soft combining)であり、第２形式の合成はソフター合成(softer combining)である。
【００２３】
ソフト合成はＲＮＣ（ＳＲＮＣ又はＤＲＮＣ）もしくは基地局において実施される選択合成(selection combining)である。選択合成はトランスポートブロックについてのＢＥＲ(Bit Error Rate)又はＣＲＣ(Cyclic Redundancy Check)のような品質情報に基づく。トランスポートブロックは１つ又は２以上のビットを含み、３ＧＰＰ仕様ＴＳ２５．３０２においてその例が示されている。例えば、ソフト合成においては最良のトランスポートブロックの選択がなされる。
【００２４】
一方、合成の第２形式（ソフター合成）は基地局でのマクロダイバーシチ合成を含む。マクロダイバーシチ合成はシンボル又はチップに関連する品質情報（シンボルの加重平均）に基づく。
【００２５】
無線リンクは１つのセル内におけるＵＥと無線アクセスネットワーク（ＲＡＮ）との間の接続を表す。無線リンクセットは基地局においてソフター合成（最大比合成）された無線リンクのセットを表す。無線リンクセットの現在の定義は、ダウンリンク（ＤＬ）において、送信電力制御（ＴＣＰ）コマンドの共通した生成を有する１つ又はそれより多い無線リンクのセットである。
【００２６】
図４は、全てのユーザ装置ユニット（ＵＥ）が２つの無線リンクを有するものとして、すなわち２つのセルを介してネットワークに接続されるものとして示している。ＵＥ３０1及びＵＥ３０2の場合、無線リンクはＳＲＮＣ（ＵＥ３０1についてはＲＮＣ２６1、ＵＥ３０2についてはＲＮＣ２６2）に与えられており、これら無線リンクは基地局で合成されていない。これは、ＵＥ３０1及びＵＥ３０2がセル毎に１つずつ、さらに２つの無線リンクセットを有することを意味する。ＵＥ３０3の場合、２つの無線リンクは基地局２８2-2において（ソフター）合成されており、これら２つの無線リンクは従って同一の無線リンクセットに属する。
【００２７】
図５Ａは代表例として、基地局２８2-2がデータ処理及び制御部３７を有する場合を示している。データ処理及び制御部３７によって制御される装置部分は、１つ又は複数のアンテナ３９に接続される複数の無線送受信器３８を含む。例えば、無線送受信器３８1及びアンテナ３９1は、基地局２８2-2によってサービスを提供されるセルＣ2-2-1に用いられ、無線送受信器３８2及びアンテナ３９2は、基地局２８2-2によってサービスを提供されるセルＣ2-2-2に用いられ、そして、同様にしてセルＣ2-2-Nに至る。
【００２８】
図５Ａはさらに、本発明に従って、基地局２８2-2がソフターハンドオーバ及び同期検出機能９９を含むことを示している。ソフターハンドオーバ及び同期機能９９には、基地局２８2-2に存在する無線リンクセットについて、基地局２８2-2でマクロダイバーシチ合成を行うソフターハンドオーバコンバイナ１００が含まれる。同期非同期検出器１０２はソフターハンドオーバコンバイナ１００とともに、移動局、すなわちユーザ装置ユニット（ＵＥ）との接続が、通信のために十分良い受信品質を有するか否かを検出及び決定するために動作する。同期非同期検出器１０２は現在のＵＭＴＳ仕様に従って動作するアルゴリズム又は手法である（３ＧＰＰ  ＴＳ２５．２１４バージョン３．４．０を参照）。この手法は同期非同期法と呼ばれる。同期非同期の検出は、ダウンリンク（ＤＬ）、すなわちネットワークからＵＥへの方向における電力制御コマンドの共通生成を有する無線リンクとして定義されたソフター結合された無線リンクの検出に基づく。このアルゴリズムは複数のパラメータによって制御される。
【００２９】
３ＧＰＰ  ＴＳ２５．２１４で規定されるアップリンク（ＵＬ）同期非同期検出アルゴリズムは、ソフター合成された無線リンク（無線リンクセット）上で動作する。これは、基地局において、アクティブ無線リンクセットについての制御パラメータの１セットが存在していなければならないことを意味する。現在合意されているアプローチはパラメータをセル毎に設定するようになっている。しかし、特定の無線リンクセットに対して制御パラメータを独自に設定する方法は現在存在しない。
【００３０】
本発明によれば、同期非同期検出アルゴリズム用の制御パラメータが無線リンクセット（合成された無線リンクのセット）に対して独自に決定及び設定される。無線リンクセットに対する制御パラメータは、対応する、セルに基づくパラメータから得る。図５Ａはソフターハンドオーバ及び同期機能９９に含まれ、本発明の原理及び手法に従って決定される制御パラメータを格納し、そのように決定されたパラメータを同期非同期検出器１０２へ供給する制御パラメータメモリ１０４を示している。
【００３１】
本発明の別の実施形態において、無線リンクセットに対する制御パラメータを決定又は設定するための機能１０６は別の方法で実施することができる。図５の実施形態に対しては、無線リンクセットに対する制御パラメータを決定する機能１０６Ａは無線ネットワーク制御（ＲＮＣ）ノード２６2に設けられている。図５Ｂの実施形態においては、無線リンクセットに対する制御パラメータを決定する機能１０６Ｂは、例えば基地局に接続され、ローカル又はリモートに設けられたメンテナンス端末を用いて、基地局自身において制御パラメータを構成することを可能にする。この点に関し、図５Ｂの無線リンクセットに対する制御パラメータを決定する機能１０６Ｂはデータ処理及び制御部３７の一部として含まれるものと概念化することが可能である。図５Ｃの実施形態において、無線リンクセットに対する制御パラメータを決定する機能１０６Ｃは、その少なくとも一部が、基地局に接続される他の装置１０８に設けられている。無線リンクセットに対する制御パラメータを決定する機能１０６の全ての変形物は、本明細書において機能１０６という参照によって包含され、上述の実装は単なる例示に過ぎないことが理解される。
【００３２】
制御パラメータメモリ１０４に格納され、機能１０６によって決定又は導かれるパラメータは、同期非同期検出器１０２を制御するために用いられるパラメータである。現行の３Ｇ  ＴＳ２５．２１４に基づく、これら制御パラメータの例を、表１に示す。図９は、３Ｇ  ＴＳ２５．２１４に従って同期非同期検出器１０２により実行される同期非同期アルゴリズムに含まれる基本状態及び状態遷移を示す。
【００３３】
図９に示される、同期非同期検出器１０２によって実行される同期非同期アルゴリズムに含まれる基本状態は、初期状態Ｓ１、同期状態Ｓ２及び非同期状態Ｓ３である。図９に示される状態遷移は初期状態Ｓ１から同期状態Ｓ２へ遷移する遷移Ｔ１、同期状態Ｓ２から非同期状態Ｓ３へ遷移する遷移Ｔ２及び、非同期状態Ｓ３から同期状態Ｓ２への遷移Ｔ３である。
【００３４】
基本的に図９に図示される同期非同期検出アルゴリズムの状態遷移に関し、N_INSYNC_IND連続同期表示が受信された場合、無線リンクセットの状態は同期へと変化する（即ち、初期状態Ｓ１から同期状態Ｓ２への遷移Ｔ１が生じる）。N_OUTSYNC_IND連続非同期表示が受信されると、タイマがスタートする（T_RLFAILURE）。タイマが満了すると、無線リンクセットの状態は非同期へと変化する（即ち、同期状態Ｓ２から非同期状態Ｓ３への遷移Ｔ２が生じる）。N_INSYNC_IND連続同期表示がタイマの動作中に受信された場合に、タイマはリセットされ、無線リンクセットの状態は同時状態を維持する。非同期状態Ｓ３になった後、N_INSYNC_IND連続同期表示が受信されると、無線リンクセットの状態は同期へ変化する（即ち、非同期状態Ｓ３から同期状態Ｓ２への遷移Ｔ３が生じる）。
【００３５】
【表１】
0004668506.tif 000002
【００３６】
本発明はまた、無線リンクセット（合成された無線リンクのセット）に対する同期非同期検出アルゴリズムのための制御パラメータを、対応するセル単位でのパラメータから無線リンクセットに対する制御パラメータを決定するための機能１０６によってどのようにして取得もしくは決定することが可能であるかに関する方法の様々なモードを提供する。例えば、制御パラメータの決定は動的に、例えば、無線リンクが無線リンクセットに追加されたか除去された際に行うことも、準静的に、例えば基地局内の任意のセルに対する制御パラメータが変更された際に実行することも、又は動的又は準静的な方法の組み合わせにおいて行うことも可能である。
【００３７】
（制御パラメータ決定の動的モード）
本発明の動的モードにおいて、同期非同期検出のための制御パラメータは（無線リンクセットに対する制御パラメータを決定又は設定するための機能１０６によって）計算／再計算される。
【００３８】
・無線リンクが無線リンクセットに追加される毎
・無線リンクが無線リンクセットから除去される毎
・無線リンクセット内のいずれかの無線リンクをサポートするセルについての制御パラメータが変更される毎
動的モードにおける計算は結果として、無線リンクセット（制御パラメータ毎に１行）に対して有効な表２のようになる。あるセルについて、１つの制御パラメータが変化した場合、表２の全てではなく、そのパラメータに対応する行を再計算すれば十分である。無線リンクセットに無線リンクが追加されたり、除去された場合には、テーブル全体を再計算する必要がある。
【００３９】
【表２】
0004668506.tif 000003
【００４０】
図６Ａは動的モードに対する制御パラメータ決定機能１０４に関する所定の基本ステップ又は動作を図示する。動作６Ａ−１のように、無線リンクセットについての制御パラメータの決定又はセッティングのための機能１０６は、変化が起きたか、例えば、ソフターハンドオーバコンバイナ部１００で取り扱いされる特定の無線リンクセットの構成に変化が存在するか、又はあるセルに対する制御パラメータの１つが変化したかを確認する（例えば、判別するか、通知される）。無線リンクが無線リンクセットに追加又は除去されると、動作６Ａ−２のように機能１０６はアクティブ無線リンクセットに対する新しい制御パラメータを決定する。アクティブ無線リンクセットに対する新しい制御パラメータは、表３にリストされたａ）からｄ）のいずれか１つの方法に従って決定することが可能である。一方、動作６Ａ−１において、セルについての制御パラメータの１つが変化したと判定された場合、動作６Ａ−３のように、機能１０６は、好ましくは、表４に従って、アクティブ無線リンクセットについて変化したパラメータのみを再計算する。
【００４１】
【表３】
0004668506.tif 000004
【００４２】
【表４】
0004668506.tif 000005
【００４３】
従って、動的モードについて、アクティブ無線リンクセットに対する制御パラメータは、（表３及び表４にリストされた）ａ）〜ｄ）の任意の方法／手法に従い、その無線リンクセットに対する制御パラメータの決定又はセッティングのための機能１０６によって得られるか、あるいはセル単位で定義された対応する制御パラメータから得られる。
【００４４】
（制御パラメータ決定の第１の準静的モード）
第１の準静的モードにおいて、アクティブ無線リンクセットに対する制御パラメータは基地局内で可能性のある全ての無線リンクセットに共通な方法で決定又は導出される。さらに、第１の準静的モードにおいて、無線リンクセットの確立又は無線リンクセット内の構成に何らかの変化がある場合、機能１０６によって以前に導出又は計算された制御パラメータは、その後も引き続きその無線リンクセットに対して用いられる。従って、第１の準静的モードにおいて制御パラメータは無線リンクセットの構成のいかなる変化にも影響されない。
【００４５】
図６Ｂは準静的モード用の、無線リンクセットに対する制御パラメータ決定又はセッティングのための機能１０６によって実行される所定の基本ステップ又は動作を図示する。動作６Ｂ−１のように、機能１０６は、変化が起きたか、例えば、ソフターハンドオーバコンバイナ部１００で取り扱いされる特定の無線リンクセットの構成に変化が存在するか、又はあるセルに対する制御パラメータの１つが変化したかを確認する（例えば、判別するか、通知される）。動作６Ｂ−１として、セルについての制御パラメータの１つが変化したと判定された場合、動作６Ｂ−２のように、機能１０６は無線リンクセットに対する制御パラメータを計算する。無線リンクセットに対する新しい制御パラメータは、表５にリストされた１）から４）のいずれか１つの方法に従って決定することが可能である。その後、ステップ６Ｂ−３のように、機能１０６は新しい制御パラメータを全てのアクティブ無線リンクセットに対して設定する。
【００４６】
一方、動作６Ｂ−１として、無線リンクセットが確立されたか、無線リンクが無線リンクセットに追加又は除去されたことが判別されると、動作６Ｂ−４のように機能１０６は以前に計算した制御パラメータ値を新しい、又は構成の変化した無線リンクセットに対して使用する。以前に計算された制御パラメータ値の利用は、動作６Ｂ−２を最後に実行した間に計算された制御パラメータ値の利用を含む。
【００４７】
【表５】
0004668506.tif 000006
【００４８】
基地局内の任意のセルに対する制御パラメータの値が変化した場合、上述の手法は例えば上述した方法に従って制御パラメータを再計算することによって適用可能である。
【００４９】
従って、第１の準静的モードにおいて、同期非同期検出のための制御パラメータは、基地局内のセルに対する何らかの制御パラメータが変化する毎に計算／再計算される。基地局内のどの無線リンクセットも同期非同期検出用の同じ制御パラメータを使用しているため、基地局には利用可能な１組の制御パラメータが用意されている。計算の結果、基地局内の全ての無線リンクセットのための、上述の表２と似た表（制御パラメータ毎に一行）が得られる。セルに対する制御パラメータの１つが変化した際には、表全体ではなく、そのパラメータに対応する表を再計算すれば足りる。
【００５０】
（制御パラメータ決定の第２の準静的モード）
第２の準静的モードにおいて、同期非同期検出のための制御パラメータは、基地局内のセルに対する何らかの制御パラメータが変化する毎に計算／再計算される。計算は機能１０６によってＢＳ内の可能性のある無線リンクセット毎、すなわち、無線リンクセットをサポートしうるセルの組み合わせ毎に実施される。ここで用いられるように、”可能性のある無線リンクセット”は、１つの無線リンクセットをサポートしうる、基地局内の１つ又はそれより多い任意のセルの組み合わせに対する総称である。３つのセル（例えば、セルＡ、セルＢ及びセルＣ）を有する基地局を考えると、各制御パラメータについて機能１０６による計算が実施され、表６に似た表が生じる。別のモードと同様、セルについての１つの制御パラメータが変化した場合、表の全てではなく、そのパラメータに対応する表を再計算すれば足りる。
【００５１】
【表６】
0004668506.tif 000007
【００５２】
図６Ｃは第２の準静的モードに対する機能１０６に関する所定の基本ステップ又は動作を図示する。動作６Ｃ−１のように、制御パラメータ機能１０６は、変化が起きたか、例えば、ソフターハンドオーバコンバイナ部１００で取り扱いされる特定の無線リンクセットの構成に変化が生じたか、又はあるセルに対する制御パラメータの１つが変化したかを確認する（例えば、判別するか、通知される）。動作６Ｃ−１として、セルについての制御パラメータの１つが変化したと判定された場合、動作６Ｃ−２のように、機能１０６は、可能性のある無線リンクセットに対する制御パラメータを決定（例えば、計算）する。可能性のある無線リンクセットに対する新しい制御パラメータは、表７にリストされたｉ）からｉｖ）のいずれか１つの方法に従って決定することが可能である。
【００５３】
【表７】
0004668506.tif 000008
【００５４】
動作６Ｃ−３のように、機能１０６は、アクティブな無線リンクセットのいずれかが、変化した制御パラメータを有するセルのいずれかでサポートされているかを判定する。動作６Ｃ−３の判定が否であれば、本質的に何も変化しない。しかし、動作６Ｃ−３の判定が是であれば、動作６Ｃ−４のように、機能１０６は影響を受けるアクティブな無線リンクに対し、新しい制御パラメータを設定する。
【００５５】
同様に、動作６Ｃ−１として、無線リンクセットが確立されたか、無線リンクセットに対して無線リンクが追加もしくは除去されたと判定された場合には、動作６Ｃ−４が実施される。機能１０６は、新しい、又は構成の変化した無線リンクセットに対し、表６に格納された、以前に計算された制御パラメータを用いる。しかし、表６からどの特定な値が用いられるかは、どのセルがその無線リンクセットをサポートするかに依存する。換言すれば、各制御パラメータについて、そのパラメータに対して表６中の新しい行が選択され、行の選択はどのセルがその無線リンクセットをサポートしているかに依存する。従って、動的モードにおいても第２の準静的モードにおいても、アクティブな無線リンクセットのために用いられる制御パラメータは、無線リンクセットの構成に依存する。
【００５６】
上述の方法は、基地局内の任意のセルに対する制御パラメータの値が変化した場合、上述した方法に従って制御パラメータを再計算することによって適用可能となる。
【００５７】
（制御パラメータ決定の組み合わせモード）
組み合わせモードにおいては、上述の方法ａ）、ｂ）、ｃ）、１）、２）、３）、ｉ）、ｉｉ）及びｉｉｉ）の任意の組み合わせを、３ＧＰＰ  ＴＳ２５．２１４に記述される制御パラメータのような制御パラメータを決定するのに用いられる。例えば、制御パラメータN_OUTSYNC_INDは動的モードを用いる機能１０６によって生成又は決定される。一方、他の制御パラメータは第１の準静的モードを用いて生成又は決定される。しかし、このような組み合わせを生成する際には、時刻T_RLFAILURE内で連続同期を示すN_INSYNC_INDを受信できるように、パラメータT_RLFAILUREとT_RLFAILUREとに密接な関係が存在していることが必要である。さもなくば、タイマR_RLFAILUREはゼロに成り得る。好ましくは（しかし必須ではない）、N_INSYNC_IND及びT_RLFAILUREは本発明の同一のモードによって設定される。
【００５８】
図７は、非限定的な様態で、本発明の代表的かつ非限定的な実施形態による例示的な基地局（ＢＳ）ノード２８のさらなる詳細を示す。図７の実施形態において、基地局（ＢＳ）ノード２８は、基地局（ＢＳ）ノード２８の他の構成要素を相互接続する役目を果たすスイッチ２２０を有する交換型(switched-based)ノードである。このような他の構成要素は拡張端子(extension terminal)２２２、ＢＳ主プロセッサ２４０及びインタフェース基板２４２を含む。拡張端子（ＥＴ）２２２は基地局（ＢＳ）ノード２８を無線ネットワークコントローラ（ＲＮＣ）２６に接続詞、それによってＩｕｂインタフェースを構成する。少なくとも一部の実施形態において、拡張端子（ＥＴ）２２２は、セルの異なるプロトコルに関して、多重化及び多重分離及び（オプションで）待ち行列に入れる機能性を含むことが可能である。
【００５９】
加えて、基地局はソフターハンドオーバ及び同期機能９９を司る。上述の通り、ソフターハンドオーバ及び同期機能９９はソフターハンドオーバ部１００、同期非同期検出器１０２及び制御パラメータメモリ１０４を含む。ソフターハンドオーバ及び同期機能９９は（図７に示すように、スイッチコア１２０に接続されて）別個の装置として含まれても良い。代わりに、ソフターハンドオーバ及び同期機能９９は、基地局を構成する他の好適な装置又は基板に含まれても良い。例えば、他の実装において、１つ又はそれより多いソフターハンドオーバ及び同期機能９９が基地局の他の場所、例えばデータ処理及び制御部３７や、例えば主プロセッサ２４０の内部に含まれるようにすることも可能である。しかし、１つ又はそれより多いこれらの機能は、他の実施形態において、別個のハードウェア回路を用いたり、ソフトウェア機能を適切にプログラムされたディジタルマイクロプロセッサ又は汎用コンピュータとともに用いたり、特定用途向け集積回路（ＡＳＩＣ）及び／又は１つ又はそれより多いディジタルシグナルプロセッサ（ＤＳＰ）を用いるなどの他の方法によって実施されても良いことを理解すべきである。
【００６０】
図７に示される基地局（ＢＳ）ノード２８の実施形態は複数のサブラックを有するラックに収容される。各サブラックはそれに実装された１つ又はそれより多い基板、例えば回路基板を有する。第１のサブラック２５０は、拡張端子２２２、ＢＳ主プロセッサ２４０及びインタフェース基板２４２の各々のための基板を含んでいる。インタフェース基板２４２の各々は、他のサブラック上の基板、例えば送信機基板２６０の１つ又は受信機基板２７０の１つと接続される。各受信機基板２７０は、対応する送信機基板２６０内の所定の送信機／受信器リソースを共有するため、増幅器及びフィルタ基板２８０の対応する１つと接続されている送信機基板２６０と接続される。増幅器及びフィルタ基板２８０は適切なアンテナに接続される。例えば、インタフェース基板２４２1-Tは送信機基板２６０1に接続され、一方インタフェース基板1-Rは受信機基板２７０1に接続される。送信機基板２６０1及び受信機基板２７０1は交代で増幅器及びフィルタ基板２８０1に接続される。同様の接続は、それぞれインタフェース基板２４２2-Tとインタフェース基板２４２2-Rをインタフェースする送信機基板２６０2と受信機基板２７０2の第２の組み合わせに対しても存在する。このようにして、図２の各送受信機３８の各々は、送信機基板２６０、受信機基板２７０及び増幅器及びフィルタ基板２８０を含むサブラックを有する。
【００６１】
一実施形態において、基地局（ＢＳ）ノード２８は、様々なＡＴＭインタフェース機能を実行するインタフェース基板２６０を有するＡＴＭベースのノードである。送信機基板２６０及び受信機基板２７０の各々は、いくつかの装置を有する。例えば、各送信機基板２６０は対応するインタフェース基板２４２、符号化器、変調器及びベースバンド送信機に接続されるインタフェースといった図示されない要素を含む。さらに、送信機基板２６０は、受信機基板２７０と共有する、無線周波数送信機を含む送信機／受信機ソースを含む。各受信機基板２７０はその対応するインタフェース基板２４２、復号化器、復調器及びベースバンド受信機等に接続されるインタフェース等の図示しない要素を含む。各増幅器及びフィルタ基板２８０はＭＣＰＡ及びＬＭＡ増幅器と言った増幅器を含む。
【００６２】
図８は、本発明の、例示的かつ非限定的なＲＮＣノード２６のいくらかの詳細を示す。図８のＲＮＣノード２６がスイッチ１２０を有する交換ベースのノードであることは良くあることである。スイッチ１２０はＲＮＣノード２６の他の構成要素を互いに接続する役目を果たす。そのような他の構成要素には、拡張端子１２２1から１２２nまでのみならず、拡張端子１２４が含まれる。１２１nから１２２nまでの拡張端子は、基本的にＲＮＣノード２６をＲＮＣノード２６によってサービスを提供される基地局ノード２８に接続する機能を果たし、拡張端子１２４はＲＮＣノード２６をＩｕインタフェースを横断してコアネットワークへ接続する。
【００６３】
ＲＮＣノード２６のさらに別の構成要素はダイバーシチハンドオーバ部１２６、コーデックス(codex)１３０、タイミング部１３２、データサービスアプリケーション部１３４、及び主プロセッサ１４０を含む。図５Ａの実施形態について、無線リンクセットに対する制御パラメータを決定するための機能１０６Ａは、例えば主プロセッサ１４０内に配置されても良い。
【００６４】
本明細書において様々な意味で用いられているように、”アルゴリズム”という語は、コンピュータプログラム形式のアルゴリズムであるものとして厳格に制限解釈される訳ではない。例えば、”同期非同期検出アルゴリズム”と言う語は、同等の目的を達成するための幅広く任意の技術又は構成を参照し、個々のハードウェア回路、ＡＳＩＣ、ＤＳＰ等を含む。
【００６５】
本発明を現時点で最も現実的かつ好ましいと考えられる実施形態に基づいて説明してきたが、本発明は開示された実施形態に限定されるべきものではなく、むしろ添付された特許請求の範囲の精神及び範囲を含むことが意図されている。
【図面の簡単な説明】
【図１】  本発明を好適に実施可能であろう移動通信システムの例を示す図である。
【図２】  ユーザ装置ユニット（ＵＥ）との接続設定において、図１のシステムに対するＲＮＣの役割割り当て例を示す図である。
【図３】  ユーザ装置ユニット（ＵＥ）との接続の一連のハンドオーバ後のＲＮＣの役割割り当て例を示す図である。
【図４】  無線アクセスネットワークにおける、無線リンク及び無線リンクセットの例を示す図である。
【図５Ａ】  本発明の第１の実施形態による例示的な基地局ノードの一部を示す図である。
【図５Ｂ】  本発明の第２の実施形態による例示的な基地局ノードの一部を示す図である。
【図５Ｃ】  本発明の第３の実施形態による例示的な基地局ノードの一部を示す図である。
【図６Ａ】  制御パラメータ決定の動的モードにおいて実行される所定の基本ステップ又は動作を示すフローチャートである。
【図６Ｂ】  制御パラメータ決定の第１の準静的モードにおいて実行される所定の基本ステップ又は動作を示すフローチャートである。
【図６Ｃ】  制御パラメータ決定の第２の準静的モードにおいて実行される所定の基本ステップ又は動作を示すフローチャートである。
【図７】  本発明の一実施形態によるＡＴＭベースの基地局ノードの例を示す模式図である。
【図８】  本発明の一実施形態によるＲＮＣノードの例を示す模式図である。
【図９】  本発明によって用いられる同期非同期検出アルゴリズムに関する、様々な状態及び状態遷移を示す状態図である。
【図１】
0004668506.tif 000009
【図２】
0004668506.tif 000010
【図３】
0004668506.tif 000011
【図４】
0004668506.tif 000012
【図５Ａ】
0004668506.tif 000013
【図５Ｂ】
0004668506.tif 000014
【図５Ｃ】
0004668506.tif 000015
【図６Ａ】
0004668506.tif 000016
【図６Ｂ】
0004668506.tif 000017
【図６Ｃ】
0004668506.tif 000018
【図７】
0004668506.tif 000019
【図８】
0004668506.tif 000020
【図９】
0004668506.tif 000021